(57)【特許請求の範囲】
【請求項１】
様々な直径の試験管（６、７）を受容する試験管ラック内の穴に挿入される試験管ホルダインサートであって、前記穴内に取り付けられるリング（８）を備え、該リング（８）からリング（８）の中心軸に向かって伸延するばね部材が、インサート内に挿入された試験管の外側と弾性的に係合するべく設けられており、ばね部材（１２）が他端部で、第一に述べたリング（８）の中心軸に沿って同軸的に配置された第二リング（１１）に接続されており、各ばね部材（１２）が中心軸に平行に伸延し、インサートに挿入された試験管の外側と弾性的に係合する部分（１３）を呈するべく前記中心軸に向かって湾曲していることを特徴とする試験管ホルダインサート。
【請求項２】
ばね部材（１２）が、第一及び第二リング（８、１１）に関節式に接続されていることを特徴とする請求の範囲第１項に記載のインサート。
【請求項３】
第二リング（１１）に、中心軸に平行に第一リング（８）に向かって伸延し、前記試験管ラックの下側の穴の穴壁と接触するよう構成されたガイド要素（１４）が設けられていることを特徴とする請求の範囲第１項または第２項に記載のインサート。
【発明の詳細な説明】
技術分野
本発明は、様々な直径の試験管を受容する試験管ラックの穴に挿入される試験管ホルダインサートであって、前記穴内に取り付けられるリングを備え、該リングからリングの中心軸に向かって伸延しているばね部材が、インサート内に挿入された試験管の外側と弾性的に係合するべく設けられているホルダインサートに関する。
発明の背景
そのような試験管ホルダインサートは公知である。そのような公知の試験管ホルダインサートの断面図が、添付図面の第１図に示されている。図示のインサートは、詳細には図示しないが、図示しない試験管ラックに設けられた試験管を受ける穴を備えたトレーの穴のいずれかにスナップ式に固定されるように設計されているリング１を備えている。図示の実施の形態では、リング１は、リング１の中心軸に向かって斜めに伸延した弾性トング２の形のばね部材を備えている。
しかし、このように設計されたインサートは、実際には試験管を試験管ラック内に確実に垂直に立たせることはできないことがわかっている。これは、特にある種の応用例において、例えば放射性または他の有害液体の自動滴下に関連したこぼれを避けるために重要である。
穴を設けた二つのトレーを上下に配置し、試験管を収容できるようにそれらの穴を整合させた試験管ラックも公知である。そのような試験管ラックでは、第１図に示されているようなインサートが、両トレーの穴にはめ込まれる。これによって得られる試験管の下部分の固定は、より安定的ではあるが完全には信頼できるものではなく、結局は試験管が傾斜することもあり得る。
発明の簡単な説明
本発明の目的は、試験管ラック用の試験管ホルダインサートであって、一定範囲内の直径の試験管の場合、穴を設けた一つまたは二つのトレーを有する試験管ラック内にその試験管を確実に垂直に並べることができるようにするインサートを提供することである。
これは、ばね部材は他端部で、第一リングと同軸的にその中心軸に沿って配置された第二リングに接続されており、また各ばね部材は、中心軸に平行に伸延し、インサートに挿入された試験管の外側と弾性的に係合する部分を呈するべく前記中心軸に向かって湾曲している、本発明による試験管ホルダインサートによって達成される。
【図面の簡単な説明】
添付図面の他の図を参照しながら本発明を以下にさらに詳細に説明する。第２図は、本発明による試験管ホルダインサートの一実施の形態の斜視図である。第３図は、直径が異なった二本の試験管を挿入した本発明による二つの試験管ホルダインサートを取り付けた試験管ラックの概略断面図である。
好適な実施の形態の説明
第２図は、本発明による試験管ホルダインサートの一実施の形態の斜視図である。
第２図に示されている試験管ホルダインサートは、その中に様々な直径の試験管を受容することができるように試験管ラック内の穴に取り付けられるべく意図されている。
第３図は、それ自体は公知の試験管ラックの一実施の形態の概略断面図を示しており、第２図によるインサート用の穴を備えた二つのトレー３及び４が上下に配置されている。図示の試験管ラックは、試験管ラックに入れられた試験管を下側から支持するように構成された下層トレー５も備えている。直径が異なった二本の試験管６及び７はそれぞれ、第３図に示されているようにインサートに挿入されている。
第２図に示されるように、本発明による試験管ホルダインサートは、第１図に示されている公知のインサートと同様に、リング８を備えている。そのリングの外側には、一方で多数のフック形要素９が、他方では多数の突起１０が設けられており、これらは、第２図によるインサートを第３図による試験管ラック内に取り付けるために、第３図から明らかなように、突起１０の下側がトレー３の上側と係合する一方、フック形要素９がトレー３の下側にスナップ式に係合するように協働するべく構成されている。フック形要素９は、トレー３の穴を通過した時に跳ねて広がった後、トレー３の下側にスナップ式にはまるように設計されている。
もちろん、リング８の周囲全体を均一にすることもできるが、半径方向に突出した突起１０を備えた第２図の設計は、製造上好都合である。
本発明による試験管ホルダインサートはさらに、リング８と同軸的にその中心軸に沿って配置されたリング１１を備えている。
本発明によれば、多数のばね部材１２がリング８及び１１間に伸延している。第２図に示されている本発明による試験管ホルダインサートの実施の形態では、ばね部材１２の数が四個である。もちろん、ばね部材１２の数を四個より多くすることもできるが、本発明によるインサートが所望通りに機能するためには少なくとも二個を必要とする。
本発明によれば、ばね部材１２はそれぞれが中心軸から所定の距離で中心軸に沿って伸延する部分１３を呈するべくリング８及び１１の中心軸に向かって湾曲している。ばね部材１２の、中心軸に面した部分１３の表面は、第３図に示されている試験管６及び７のような、インサートに挿入されている試験管の外側に弾性的に係合するべく意図されている。
部分１３の長さは、３２ｍｍ程度の長さのインサートの場合、例えば約５ｍｍである。
第３図に示されている実施の形態では、ばね部材１２の部分１３がそれぞれ試験管６及び７で隠れている。
それぞれ直径が異なった試験管６及び７と共に二つのインサートを比較すると、第３図から明らかなように、試験管の直径が大きくなるほど、インサートが下方に延長されている。
第３図による試験管ラック内に試験管をさらに確実に垂直に並べるため、本発明によるインサートは、ガイド要素１４を備えている。これらのガイド要素１４は、試験管をインサートに挿入した時にトレー４の穴内でのインサートの下方部分の垂直方向の延長移動を案内すると同時に、その穴内でのインサートの下方部分の水平移動を制限するべく意図されている。
第２図に示されている本発明による試験管ホルダインサートの実施の形態では、ガイド要素１４は、リング１１からリング８に向かって突出したガイドピンを備えている。これらのガイドピンは、リング８及び１１の中心軸に平行に伸延して、インサートに該当するすべての直径の試験管のための第３図に示されている試験管ラックのトレー４の穴の穴壁にそれらの外側で係合するべく構成されている。
本発明による試験管ホルダインサートの好適な実施の形態によれば、ばね部材１２はリング８及び１１に関節式に接続されている。これは、ばね部材とリング８及び１１との間の移行部分においてばね部材１２の外側にノッチ１５を形成することによって行われる。もちろん、ノッチ１５は必要なものではないが、リング８及び１１とばね部材１２との間にある種のヒンジ機能が必要とされる特定の応用例では、例えば該当する直径の範囲内のより大きい直径の試験管に加えられるばね部材１２の圧力が大きくなりすぎるのを避けるため、好ましい。
本発明による試験管ホルダインサートは、ポリエーテルエーテルケトン等のプラスチック製で、一体的に射出成形される。本発明による試験管ホルダインサートは、５ｍｍから１２ｍｍまで、１０ｍｍから１６ｍｍまで、１５ｍｍから２４ｍｍまで等の一定の範囲の直径の試験管を受容できるように製造される。ばね部材の設計により、本発明による試験管ホルダインサートは非常に安定していると共に、今日の試験管ラックに該当する直径範囲内の試験管を確実に垂直に並べることができる。
【図１】
0003735120.tif 000002
【図２】
0003735120.tif 000003
【図３】
0003735120.tif 000004